【手続補正書】
【提出日】平成27年7月15日(2015.7.15)
【手続補正１】
【補正対象書類名】特許請求の範囲
【補正対象項目名】全文
【補正方法】変更
【補正の内容】
【特許請求の範囲】
【請求項１】
液体を噴射する液体噴射装置であって、
液体を噴射する印刷ヘッドを搭載し、主走査方向に移動可能なキャリッジと、
前記キャリッジを前記主走査方向に移動させるベルトと、
前記キャリッジの前記主走査方向の移動を案内するガイド板と、
前記キャリッジに設けられ、前記キャリッジの前記主走査方向の移動を案内するように前記ガイド板に案内されるガイド部材と、
前記キャリッジに設けられ、前記ガイド部材を前記ガイド板に向けて付勢する付勢部材と、
を備え、
前記ガイド板の前記主走査方向における一方の端部において、
前記キャリッジが前記一方の端部側から前記ガイド板の他方の端部側へ向って移動する際に、前記キャリッジを加速させる第１の加速力の絶対値と、
前記キャリッジが前記他方の端部側から前記一方の端部側へ向って移動する際に、前記キャリッジを減速させる第１の減速力の絶対値と、は同じあり、
前記ガイド板の前記主走査方向における前記他方の端部において、
前記キャリッジが前記他方の端部側から前記一方の端部側へ向って移動する際に、前記キャリッジを加速させる第２の加速力の絶対値と、
前記キャリッジが前記一方の端部側から前記他方の端部側へ向って移動する際に、前記キャリッジを減速させる第２の減速力の絶対値と、は同じあり、
前記ベルトは、前記主走査方向と交差する副走査方向における前記キャリッジの一方の端部側に設けられた固定部に固定され、
前記付勢部材は、前記キャリッジの前記固定部に対して前記主走査方向における前記一方の端部側に設けられた第１付勢部材と、前記キャリッジの前記固定部に対して前記主走査方向における前記他方の端部側に設けられた第２付勢部材と、で構成され、
前記第１付勢部材の付勢力は、前記ガイド板の前記他方の端部において前記キャリッジを加速および減速させる際に前記キャリッジに加わる回転モーメント力によって前記第１付勢部材に印加される第１の押圧力に対応させたものとし、
前記第２付勢部材の付勢力は、前記ガイド板の前記一方の端部において前記キャリッジを加速および減速させる際に前記キャリッジに加わる回転モーメント力によって前記第２付勢部材に印加される第２の押圧力に対応させたものとしたことを特徴とする液体噴射装置。
【請求項２】
請求項１記載の液体噴射装置であって、
前記第１の押圧力および前記第２の押圧力のうち、最も大きいものが生ずる一方の位置における前記付勢部材の付勢力を最も大きくし、他方の位置における前記付勢部材の付勢力を前記一方の位置における前記付勢部材の付勢力より小さくしたことを特徴とする液体噴射装置。
【請求項３】
請求項２記載の液体噴射装置であって、
前記一方の位置における前記付勢部材の付勢力を「１」とし、前記キャリッジの往復動作の際の前記キャリッジに加わる各前記回転モーメント力に基づき計算にて求められた前記他方の位置における前記付勢部材の付勢力が「０．Ｘ」（Ｘは正の値）となるとき、前記他方の位置における前記付勢部材の付勢力を「０．Ｘ」以上で「１」未満としたことを特徴とする液体噴射装置。
【請求項４】
請求項１、２または３記載の液体噴射装置であって、
前記キャリッジの往復動作のとき、前記キャリッジの前記第１の加速力および前記第１の減速力の絶対値と、前記キャリッジの前記第２の加速力および前記第２の減速力の絶対値と、を異ならせ、
各前記付勢部材が位置する場所における前記キャリッジに加わる各前記回転モーメント力を異ならせたことを特徴とする液体噴射装置。
【請求項５】
請求項１、２、３または４記載の液体噴射装置であって、
前記印刷ヘッドに対しインクを供給するためのチューブを有し、各前記回転モーメント力には、前記チューブの剛性によって生じる回転モーメント力が含まれるものとしたことを特徴とする液体噴射装置。
【手続補正２】
【補正対象書類名】明細書
【補正対象項目名】発明の名称
【補正方法】変更
【補正の内容】
【発明の名称】液体噴射装置
【手続補正３】
【補正対象書類名】明細書
【補正対象項目名】０００１
【補正方法】変更
【補正の内容】
【０００１】
本発明は、液体噴射装置に関する。
【手続補正４】
【補正対象書類名】明細書
【補正対象項目名】０００６
【補正方法】変更
【補正の内容】
【０００６】
上記課題を解決するために、本発明の液体噴射装置は、液体を噴射する液体噴射装置であって、液体を噴射する印刷ヘッドを搭載し、主走査方向に移動可能なキャリッジと、キャリッジを主走査方向に移動させるベルトと、キャリッジの主走査方向の移動を案内するガイド板と、キャリッジに設けられ、前記キャリッジの前記主走査方向の移動を案内するようにガイド板に案内されるガイド部材と、キャリッジに設けられ、ガイド部材をガイド板に向けて付勢する付勢部材と、を備え、ガイド板の主走査方向における一方の端部において、キャリッジが一方の端部側からガイド板の他方の端部側へ向って移動する際に、キャリッジを加速させる第１の加速力の絶対値と、キャリッジが他方の端部側から一方の端部側へ向って移動する際に、キャリッジを減速させる第１の減速力の絶対値と、は同じあり、ガイド板の主走査方向における他方の端部において、キャリッジが他方の端部側から一方の端部側へ向って移動する際に、キャリッジを加速させる第２の加速力の絶対値と、キャリッジが一方の端部側から他方の端部側へ向って移動する際に、キャリッジを減速させる第２の減速力の絶対値と、は同じあり、ベルトは、主走査方向と交差する副走査方向におけるキャリッジの一方の端部側に設けられた固定部に固定され、付勢部材は、キャリッジの固定部に対して主走査方向における一方の端部側に設けられた第１付勢部材と、キャリッジの固定部に対して主走査方向における他方の端部側に設けられた第２付勢部材と、で構成され、第１付勢部材の付勢力は、ガイド板の他方の端部においてキャリッジを加速および減速させる際にキャリッジに加わる回転モーメント力によって第１付勢部材に印加される第１の押圧力に対応させたものとし、第２付勢部材の付勢力は、ガイド板の一方の端部においてキャリッジを加速および減速させる際にキャリッジに加わる回転モーメント力によって第２付勢部材に印加される第２の押圧力に対応させたものとしている。
【手続補正５】
【補正対象書類名】明細書
【補正対象項目名】０００８
【補正方法】変更
【補正の内容】
【０００８】
また、本発明の他の側面は、上述の発明において、第１の押圧力および第２の押圧力のうち、最も大きいものが生ずる一方の位置における付勢部材の付勢力を最も大きくし、他方の位置における付勢部材の付勢力を一方の位置における付勢部材の付勢力より小さくしたものとしている。この場合には、距離と力の一方または両者が異なることで、トルクとなる回転モーメント力が異なる状態（この状態は非常に多く発生する）のとき、使用されているすべての付勢部材の合計負荷を小さくでき、低負荷の液体噴射装置とすることができる。
【手続補正６】
【補正対象書類名】明細書
【補正対象項目名】０００９
【補正方法】変更
【補正の内容】
【０００９】
また、本発明の他の側面は、上述の発明において、一方の位置における付勢部材の付勢力を「１」とし、キャリッジの往復動作の際のキャリッジに加わる各回転モーメント力に基づき計算にて求められた他方の位置における付勢部材の付勢力が「０．Ｘ」（Ｘは正の値）となるとき、他方の位置における付勢部材の付勢力を「０．Ｘ」以上で「１」未満としている。この場合には、印字ずれを防ぐことができると共に付勢部材の合計負荷を小さくでき、低負荷の液体噴射装置とすることができる。
【手続補正７】
【補正対象書類名】明細書
【補正対象項目名】００１０
【補正方法】変更
【補正の内容】
【００１０】
また、本発明の他の側面は、上述の発明において、キャリッジの往復動作のとき、キャリッジの第１の加速力および第１の減速力の絶対値と、キャリッジの第２の加速力および第２の減速力の絶対値と、を異ならせ、各付勢部材が位置する場所におけるキャリッジに加わる各回転モーメント力を異ならせたものとしている。この場合には、印字時におけるキャリッジの動作制御の自由度が高まり、効率的な印字動作にできる確率が高まると共に付勢部材の合計負荷を小さくでき、低負荷の液体噴射装置とすることができる。
【手続補正８】
【補正対象書類名】明細書
【補正対象項目名】００１１
【補正方法】変更
【補正の内容】
【００１１】
さらに、本発明の他の側面は、上述の発明において、印刷ヘッドに対しインクを供給するためのチューブを有し、各回転モーメント力には、チューブの剛性によって生じる回転モーメント力が含まれるものとしている。このように構成する場合には、キャリッジの往復動作のときの加速と減速によって生じる各回転モーメント力だけではなく、チューブの剛性によって生じるモーメントを考慮することとなり、各付勢部材の付勢力を一層適切なものとすることができ、付勢部材の合計負荷をより小さくでき、より低負荷の液体噴射装置とすることができる。